(57)【要約】【課題】長期間保存した場合であっても発熱効果が低下せず、安定性に優れ、かつ皮膚や頭髪などの人体への影響の少ない安全性に優れた発熱製剤および該発熱製剤を用いた吐出製品を提供する。【解決手段】水分を透過しない容器に、金属ハロゲン化物および油性オイルからなるペースト状発熱製剤を充填してなる吐出製品に関する。さらに、内袋を有し、水分を透過しない容器と内袋の間に加圧剤が充填されている吐出製品に関する。【選択図】図３
2004250440.tif 000002
【特許請求の範囲】
【請求項１】
水分を透過しない容器に、金属ハロゲン化物および油性オイルからなるペースト状発熱製剤を充填してなる吐出製品。
【請求項２】
金属ハロゲン化物が、平均粒径０．５〜２００μｍでペースト状発熱製剤に分散した請求項１記載の吐出製品。
【請求項３】
金属ハロゲン化物と油性オイルとの配合比が１０／９０〜７０／３０（重量比）である請求項１または２記載の吐出製品。
【請求項４】
油性オイルが、炭化水素、シリコーン油およびエステル油からなる群から選ばれる少なくとも１種である請求項１、２または３記載の吐出製品。
【請求項５】
ペースト状発熱製剤の粘度が、１，０００〜５００，０００ｃＰである請求項１、２、３または４記載の吐出製品。
【請求項６】
ペースト状発熱製剤を収納する内袋を有し、水分を透過しない容器と内袋との間に圧縮ガスが充填されている請求項１、２、３、４または５記載の吐出製品。
【請求項７】
ペースト状発熱製剤および親水性製剤を、水分を透過しない容器に非接触状態で収納している請求項１、２、３、４、５または６記載の吐出製品。
【発明の詳細な説明】
【技術分野】
【０００１】
本発明は、水分を透過しない容器に、ペースト状発熱製剤を充填してなる吐出製品に関する。さらに詳しくは、皮膚や頭髪などの人体に使用し、使用する際に温熱感を付与する発熱製剤を水分を透過しない容器に充填した吐出製品に関する。
【背景技術】
【０００２】
従来、人体に使用し、使用するに際に温熱感を付与する製剤として、酸化還元、水和、溶解などにより発生する熱を利用したものがある。
【０００３】
たとえば、酸化剤および還元剤を含み、混合したときに発生する反応熱を利用したエアゾール製品が提案されている（たとえば、特許文献１参照）。しかし、還元剤として過酸化水素や過酸化ナトリウムなどの分解されやすい成分を用いているため、製品の安定性が悪く、長期間保存した場合には発熱効果が充分得られない問題がある。さらに還元剤の分解によりガスが発生するため容器の安全性が低くなり、さらに皮膚に対する刺激が大きく、人体への安全性に問題があるものであった。
【０００４】
また、ゼオライトおよびオイルを含有するエアゾール組成物を吐出後に水と混合させることによって発熱するエアゾール組成物が提案されている（たとえば、特許文献２参照）。しかし、該エアゾール組成物は、水に対する溶解性または親和性の高いオイル（水溶性オイル）が用いられているため、保存中に水溶性オイルの−ＯＨや−ＣＨ2ＣＨ2Ｏ−などの親水基とゼオライトとが反応し、発熱効果を低下させる問題がある。
【０００５】
また、酸化カルシウムを鉱油などのオイルに分散させた粘性で流動性の非水性組成物を吐出後に水と混合させることによって発熱するパックが提案されている（たとえば、特許文献３参照）。しかし、このパックは脱毛剤を配合する脱毛用途であり、発熱させることによって脱毛に要する時間を短縮することを目的としているものである。また、このパックは、酸化カルシウムが水と反応してアルカリ性を呈するために、皮膚に対する刺激があり、皮膚へ直接吐出する場合、安全性に問題があるものであった。
【０００６】
さらに、無機塩類および水に対して混和性を有する液状媒体を含有する温感組成物を、水を含有する発熱反応用液体に混合させることによって発熱するエアゾール組成物が提案されている（たとえば、特許文献４参照）。しかし、該エアゾール組成物も特許文献２のエアゾール組成物と同様に無機塩類を水に対して混和性を有する液状媒体に含有したときに発熱してしまい、後に水と混合させても発熱効果が低いという問題があった。
【０００７】
つぎに、特定の油類と、水と混合すると発熱する無機塩および無機酸化物から選択される化合物と、界面活性剤とを含んでなり、使用時に水と混合することによって発熱する非水系化粧料が提案されている（たとえば、特許文献５参照）。
【０００８】
また、水と混合すると発熱する無機塩および無機酸化物から選択される化合物、ならびに油分を含有する１剤（Ａ）と、多価アルコールを含有する２剤（Ｂ）とからなり、使用時に（Ａ）と（Ｂ）とを混合することによって発熱する２剤式化粧料が提案されている（たとえば、特許文献６）。
【０００９】
しかし、特許文献５および６は、長期間保存した場合であっても発熱効果が低下しない保存安定性について考慮していないものであった。
【００１０】
【特許文献１】特公昭４５−１９９９６号公報（３欄３〜１１行）
【特許文献２】特許第２８０４３５１号公報（２欄１４行〜３欄２行）
【特許文献３】特開昭５１−１０４０４３号公報（２頁左下欄７〜１５行）
【特許文献４】特開平１０−３０６２７６号公報（段落番号［０００６］）
【特許文献５】特開平１１−２２８３３２号公報（段落番号［０００６］）
【特許文献６】特開平１１−２７９０３１号公報（段落番号［０００６］）
【発明の開示】
【発明が解決しようとする課題】
【００１１】
長期間保存した場合であっても発熱効果が低下せず、安定性に優れ、かつ皮膚や頭髪などの人体への影響の少ない安全性に優れた吐出製品を提供する。さらには、発熱温度や持続時間などの発熱効果の調整が容易である吐出製品を提供する。
【課題を解決するための手段】
【００１２】
本発明は、水分を透過しない容器に、金属ハロゲン化物および油性オイルからなるペースト状発熱製剤を充填してなる吐出製品に関する。
【００１３】
さらに、金属ハロゲン化物が、平均粒径０．５〜２００μｍでペースト状発熱製剤に分散していることが好ましい。
【００１４】
さらに、金属ハロゲン化物と油性オイルとの配合比が１０／９０〜７０／３０（重量比）であることが好ましい。
【００１５】
さらに、油性オイルが、炭化水素、シリコーン油およびエステル油からなる群から選ばれる少なくとも１種であることが好ましい。
【００１６】
さらに、ペースト状発熱製剤の粘度が、１，０００〜５００，０００ｃＰであることが好ましい。
【００１７】
さらに、吐出製品は、ペースト状発熱製剤を収納する内袋を有し、水分を透過しない容器と内袋との間に圧縮ガスが充填されていることが好ましい。
【００１８】
さらに、ペースト状発熱製剤および親水性製剤を、水分を透過しない容器に非接触状態で収納していることが好ましい。
【発明の効果】
【００１９】
本発明は、水分を透過しない容器に、金属ハロゲン化物と油性オイルからなるペースト状発熱製剤を充填することにより、吐出物（ペースト状発熱製剤）を皮膚や頭髪などの水分と接触させたときに得られる温熱感（発熱温度や持続時間などの発熱効果）の調整が容易であり、さらに長期間保存した場合であっても発熱効果が低下することのない安定な吐出製品を提供することができる。また、発熱製剤を充填する内袋を有し、水分を透過しない容器と内袋の間に加圧剤が充填されている吐出製品とすることにより、吐出物量の調整が容易であり、金属ハロゲン化物が水に溶解する状態を調整しやすく、所望の発熱状態が得やすい吐出製品を提供することができる。さらに、発熱製剤および親水性製剤を水分を透過しない容器に非接触状態で収納する場合は、発熱製剤と親水性製剤の吐出量比を調整できるため、設計通りの発熱効果が得られる。
【発明を実施するための最良の形態】
【００２０】
本発明は、水分を透過しない容器に、金属ハロゲン化物および油性オイルからなるペースト状発熱製剤を充填してなる吐出製品に関する。
【００２１】
金属ハロゲン化物は、水に溶解することによって熱を発生する発熱成分である。金属ハロゲン化物は、人体に対して安全性に優れている点で、金属ハロゲン化物以外の水に溶解することで発熱する化合物に比べて優れている。
【００２２】
金属ハロゲン化物の具体例としては、高い発熱効果が得られる点から塩化マグネシウム、塩化カルシウム、塩化亜鉛、塩化アルミニウム、塩化チタンなどの無水物、水和物があげられ、さらに安定性に優れている点から、無水物を用いることが好ましく、特に安全性に優れている点から、無水塩化マグネシウムを用いることが好ましい。
【００２３】
金属ハロゲン化物の含有量は、発熱製剤中に５〜７０重量％が好ましく、１０〜６０重量％がより好ましい。含有量が５重量％未満では発熱量が少なくなり、充分な温熱感が得られにくくなる傾向があり、７０重量％をこえると発熱製剤に流動性が無くなり、塗布しにくく、使用感が悪くなる傾向がある。
【００２４】
なお、金属ハロゲン化物の表面を疎水性成分で撥水処理することにより、発熱温度と持続時間を調整することができる。
【００２５】
油性オイルは、金属ハロゲン化物を分散させて保管時に金属ハロゲン化物が水分と接触するのを防止し発熱効果を持続させるために用いられる。なお、本発明でいう油性オイルとは、水の溶解度が極めて低く、水に対して混和性を有しないオイルをいう。
【００２６】
油性オイルの具体例としては、ラウリルアルコール、セチルアルコール、ステアリルアルコール、ミリスチルアルコール、オレイルアルコール、イソステアリルアルコールなどの高級アルコール、ノルマルペンタン、イソペンタン、ノルマルヘキサン、イソヘキサン、ヘプタン、デカン、スクワラン、スクワレン、流動パラフィン、イソパラフィン、ケロシン、固形パラフィンなどの炭化水素、ラウリン酸、ミリスチン酸、パルミチン酸、ステアリン酸、オレイン酸などの高級脂肪酸、メチルポリシロキサン、オクタメチルトリシロキサン、デカメチルテトラシロキサン、オクタメチルシクロテトラシロキサン、デカメチルシクロペンタシロキサン、ドデカメチルシクロヘキサシロキサン、メチルハイドロジェンポリシロキサン、メチルフェニルポリシロキサンなどのシリコーン油、ミリスチン酸イソプロピル、オクタン酸セチル、ミリスチン酸オクチルドデシル、パルミチン酸イソプロピル、フタル酸ジエチル、フタル酸ジエトキシエチル、コハク酸ジエトキシエチル、パルミチン酸セチル、イソノナン酸イソノニル、イソノナン酸イソトリデシル、パルミチン酸オクチル、ミリスチン酸イソステアリル、ジ−２−エチルヘキサン酸ネオペンチルグリコール、ジカプリン酸ネオペンチルグリコール、アジピン酸ジ−２−ヘプチルウンデシル、トリ２−エチルヘキサン酸グリセリル、トリ（カプリル・カプリン酸）グリセリン、トリイソステアリン酸トリメチロールプロパン、テトラ２−エチルヘキサン酸ペンタエリスリット、乳酸オクチルドデシル、リンゴ酸ジイソステアリルなどのエステル油、ミツロウ、ラノリン、カンデリラロウ、パラフィンワックス、マイクロクリスタリンワックスなどのロウ（ワックス類）、ツバキ油、トウモロコシ油、オリーブ油、ヒマシ油、サフラワー油、ホホバ油、ヤシ油などの油脂などがあげられる。なかでも、金属ハロゲン化物の保存安定性に優れている点で、炭化水素、シリコーン油、およびエステル油などの水酸基やオキシエチレン基などの親水基を有さないオイルが好ましい。またノルマルペンタン、イソペンタン、ノルマルヘキサン、イソヘキサンなどの炭素数が５〜６の炭化水素や、オクタメチルシクロテトラシロキサン、デカメチルシクロペンタシロキサンなどの揮発性シリコーンなどの揮発性オイルを用いる場合には、吐出時にオイルの揮発が早く、発熱温度や発熱時間を調整することができ、さらに、ベタツキ感が少なく、優れた使用感が得られる点で好ましい。油性オイルは、これらの油性オイルを２種類以上混合して用いてもよい。
【００２７】
油性オイルの含有量は、発熱製剤中３０〜９０重量％が好ましく、４０〜８０重量％がより好ましい。含有量が３０重量％未満では発熱製剤に流動性が無くなり、塗布しにくく、使用感が悪くなる傾向があり、９０重量％をこえると使用後の洗浄に手間がかかりやすく、また、金属ハロゲン化物を所望量配合できなくなり発熱効果が不充分となる傾向がある。
【００２８】
金属ハロゲン化物と油性オイルとの配合比は１０／９０〜７０／３０（重量比）であることが好ましく、２０／８０〜６０／４０であることがより好ましい。配合比が１０／９０未満の場合では発熱製剤の粘度が低くなり、塗布する際に垂れやすくなる傾向があり、７０／３０をこえると発熱製剤に流動性が無くなり、塗布しにくく、使用感が悪くなる傾向がある。また、本発明の発熱製剤には、金属ハロゲン化物および油性オイルの他に、界面活性剤、有効成分、増粘剤、粉体などを配合することができる。
【００２９】
界面活性剤は、金属ハロゲン化物を油性オイル中に分散しやすくするために、また、使用時に金属ハロゲン化物の水との接触状態を調整して所望の発熱効果を得られやすくするために、さらには皮膚や頭髪に付着した油性オイルが水洗いにより容易に洗浄・除去し易くするために用いられる。
【００３０】
界面活性剤としては、たとえばソルビタン脂肪酸エステル、グリセリン脂肪酸エステル、ポリ（ジ、トリ、テトラ、ペンタ、ヘキサ、デカなど）グリセリン脂肪酸エステル、ポリオキシエチレンソルビタン脂肪酸エステル、ポリオキシエチレングリセリン脂肪酸エステル、ポリエチレングリコール脂肪酸エステル、ポリオキシエチレンソルビット脂肪酸エステル、ポリオキシエチレンアルキルエーテル、ポリオキシエチレンポリオキシプロピレンアルキルエーテル、ポリオキシエチレンヒマシ油・硬化ヒマシ油、ポリオキシエチレンラノリンアルコール、ポリオキシエチレンアルキルアミン、アルキルジメチルアミンオキシド液、ポリオキシエチレン脂肪酸アミド、脂肪酸アルキロールアミド、アルキルグルコシド、アルキルポリグルコシド、ポリオキシエチレン・メチルポリシロキサン共重合体、ポリオキシプロピレン・メチルポリシロキサン共重合体、ポリ（オキシエチレン・オキシプロピレン）・メチルポリシロキサン共重合体などがあげられる。なかでも、長期間保存した場合でも発熱効果が低下せず、また、使用時の発熱効果を長く維持できる点で、ＨＬＢが１２以下、特に１１以下である親油性の界面活性剤が好ましい。ＨＬＢが１２以下の界面活性剤としては、ソルビタンモノラウレート（８．６）、ソルビタンモノパルミテート（６．７）、ソルビタンモノステアレート（４．７）、ソルビタンセスキステアレート（４．２）、ソルビタンモノオレエート（４．３）、ソルビタンセスキオレエート（３．７）、ソルビタントリオレエート（１．７）などのソルビタン脂肪酸エステル類、グリセリルモノステアレート（１．５〜１０．０）、グリセリルモノミリステート（３．５〜８．５）などのグリセリン脂肪酸エステル類、ジグリセリルモノステアレート（５．０）、ジグリセリルモノオレエート（５．５）、ジグリセリルモノイソステアレート（５．５）などのジグリセリン脂肪酸エステル類、トリグリセリルモノオレエート（１０．０）、トリグリセリルモノステアレート（１０．０）などのトリグリセリン脂肪酸エステル、テトラグリセリルモノステアレート（６．０）、テトラグリセリルモノオレエート（６．０）などのテトラグリセリン脂肪酸エステル類、ペンタグリセリルトリミリステート（８．０）、ペンタグリセリルトリオレエート（７．０）などのペンタグリセリン脂肪酸エステル類、ヘキサグリセリルトリステアレート（２．５）などのヘキサグリセリン脂肪酸エステル類、およびデカグリセリルジイソステアレート（１０．０）、デカグリセリルジオレエート（１０．０）、デカグリセリルトリステアレート（７．５）、デカグリセリルトリオレエート（７．０）、デカグリセリルペンタステアレート（２．５）などのデカグリセリン脂肪酸エステル類、ＰＯＥ（５）グリセリルモノステアレート（９．５）などのポリオキシエチレングリセリン脂肪酸エステル、ＰＯＥ（６）ソルビタンモノステアレート（９．５）、ＰＯＥ（６）ソルビタンモノオレエート（１０．０）、ＰＯＥ（２０）ソルビタントリオレエート（１１．０）、ＰＯＥ（２０）ソルビタントリステアレート（１０．５）などのポリオキシエチレンソルビタン脂肪酸エステル類、ＰＯＥ（６）ソルビットテトラオレエート（８．５）などのポリオキシエチレンソルビット脂肪酸エステル、ＰＯＥ（１０）ベヘニルエーテル（１０．０）、ＰＯＥ（２）オレイルエーテル（７．５）、ＰＯＥ（２）セチルエーテル（８．０）、ＰＯＥ（２）ラウリルエーテル（９．５）、ＰＯＥ（７）オレイルエーテル（１０．５）などのポリオキシエチレンアルキルエーテル、ラウリルグルコシド（７．７）などのアルキルグルコシド、ラウリルジメチルアミンオキシド液（６．１）などのアルキルジメチルアミンオキシド液などがあげられる。ＨＬＢが１２以下である界面活性剤は、油性オイルとして、または油性オイルの一部として用いることができる。なお、吐出後短時間で発熱効果を得たい場合や、洗浄性を向上させるために、ＨＬＢが１２以上である親水性の界面活性剤を発熱製剤の安定性を阻害しない範囲で用いてもよい。
【００３１】
ＨＬＢが１２以上である親水性の界面活性剤としては、たとえば、デカグリセリルモノステアレート（１２．０〜１５．０）、デカグリセリルモノイソステアレート（１２．０）、デカグリセリルモノラウレート（１５．５）、デカグリセリルモノミリステート（１４．０）、デカグリセリルモノオレエート（１２．０）などのデカグリセリン脂肪酸エステル、ヘキサグリセリルモノラウレート（１４．５）などのヘキサグリセリン脂肪酸エステル、ＰＯＥ（１５）グリセリルモノステアレート（１３．５）、ＰＯＥ（１５）グリセリルモノオレエート（１４．５）などのポリオキシエチレングリセリン脂肪酸エステル、ＰＯＥ（２０）ソルビタンモノパルミテート（１５．９）、ＰＯＥ（２０）ソルビタンモノステアレート（１４．９）、ＰＯＥ（２０）ソルビタンモノイソステアレート（１５．０）、ＰＯＥ（２０）ソルビタンモノオレエート（１５．０）などのポリオキシエチレンソルビタン脂肪酸エステル、ＰＯＥ（６）ソルビットモノラウレート（１５．５）、ＰＯＥ（６０）ソルビットテトラステアレート（１３．０）、ＰＯＥ（４０）ソルビットテトラオレエート（１２．５）、ＰＯＥ（６０）ソルビットテトラオレエート（１４．０）などのポリオキシエチレンソルビット脂肪酸エステル、ＰＯＥ（５）ラノリンアルコール（１２．５）、ＰＯＥ（１０）ラノリンアルコール（１５．５）、ＰＯＥ（２０）ラノリンアルコール（１６．０）、ＰＯＥ（４０）ラノリンアルコール（１７．０）などのポリオキシエチレンラノリンアルコール、ＰＯＥ（４０）硬化ヒマシ油（１２．５）、ＰＯＥ（６０）硬化ヒマシ油（１４．０）、ＰＯＥ（１００）硬化ヒマシ油（１６．５）などのポリオキシエチレン硬化ヒマシ油、ＰＯＥ（９）ラウリルエーテル（１４．５）、ＰＯＥ（２１）ラウリルエーテル（１９．０）、ＰＯＥ（１５）セチルエーテル（１５．５）、ＰＯＥ（３０）セチルエーテル（１９．５）、ＰＯＥ（２０）ステアリルエーテル（１８．０）、ＰＯＥ（１０）オレイルエーテル（１４．５）、ＰＯＥ（２０）オレイルエーテル（１７．０）、ＰＯＥ（２０）ベヘニルエーテル（１６．５）などのポリオキシエチレンアルキルエーテル、ＰＯＥ（２０）ＰＯＰ（４）セチルエーテル（１６．５）、ＰＯＥ（２０）ＰＯＰ（８）セチルエーテル（１２．５）、ＰＯＥ（３０）ＰＯＰ（６）デシルテトラデシルエーテル（１２．０）などのポリオキシエチレンポリオキシプロピレンアルキルエーテル、ＰＯＥ（１５）ステアリン酸アミド（１８．０）などのポリオキシエチレン脂肪酸アミド、ＰＥＧ（１０ＥＯ）モノラウレート（１２．５）、ＰＥＧ（２５ＥＯ）モノステアレート（１５．０）などのポリエチレングリコール脂肪酸エステルなどの非イオン性界面活性剤；
ジＰＯＥ（１０）ラウリルエーテルリン酸ナトリウム（１７．０）、ジＰＯＥ（８）オレイルエーテルリン酸ナトリウム（１２．５）などのポリオキシエチレンアルキルエーテルリン酸塩、ジＰＯＥ（１０）（Ｃ１２〜１５）アルキルエーテルリン酸（１３．５）、トリＰＯＥ（４）ラウリルエーテルリン酸（１３．０）、トリＰＯＥ（１０）（Ｃ１２〜１５）アルキルエーテルリン酸（１４．０）などのポリオキシエチレンアルキルエーテルリン酸などのアニオン性活性剤などがあげられる。
【００３２】
なお、前記ＰＯＥはポリオキシエチレンを、前記ＰＯＰはポリオキシプロピレンを、前記ＰＥＧはポリエチレングリコールを表わし、化合物名の後ろの括弧内にＨＬＢ値を示す。
【００３３】
界面活性剤の配合量は、発熱製剤中１〜３０重量％であることが好ましく、２〜２０重量％であることがより好ましい。配合量が１重量％未満では界面活性剤の配合効果が得られにくくなる傾向があり、３０重量％をこえると界面活性剤によるべたつきが強くなり、使用感が低下する傾向がある。
【００３４】
有効成分は、発熱製剤の用途や目的などに応じて適宜選択して配合するこができる。有効成分としては、たとえばサリチル酸メチル、カンフル、インドメタシン、ピロキシカム、フェルビナク、ケトプロフェン、イブプロフェンなどの消炎鎮痛剤、アラントイン、グリチルレチン酸、アズレンなどの抗炎症剤、塩酸ジブカイン、塩酸テトラカイン、塩酸リドカイン、リドカインなどの局所麻酔剤、ジフェンヒドラミン、塩酸ジヘンヒドラミン、マレイン酸クロルフェミラミンなどの抗ヒスタミン剤、クロタミトン、イクタモール、尿素などの鎮痒剤、トルナフテート、硝酸ミコナゾール、硝酸エコナゾールなどの抗真菌剤、ｌ−メントール、カンフル、ハッカ油などの清涼剤、酸化亜鉛、アラントインヒドロキシアルミニウム、タンニン酸、クエン酸、乳酸などの収斂剤、プロピレングリコール、グリセリン、１，３−ブチレングリコール、コラーゲン、キシリトール、ソルビトール、ヒアルロン酸、カロニン酸、乳酸ナトリウム、ｄｌ−ピロリドンカルボン酸塩、ケラチン、カゼイン、レシチン、尿素、セラミドなどの保湿剤、塩化ステアリルトリメチルアンモニウムなどのトリートメント剤、パラオキシ安息香酸エステル、安息香酸ナトリウム、フェノキシエタノール、塩化ベンザルコニウム、塩化ベンゼトニウム、塩化クロルヘキシジン、パラクロルメタクレゾール、銀などの殺菌（抗菌）・防腐剤、ラウリルメタクリレート、ゲラニルクロトレート、ミリスチン酸アセトフェノン、酢酸ベンジル、プロピオン酸ベンジル、安息香酸メチル、フェニル酢酸メチル、茶エキスなどの消臭・防臭剤、グリシン、アラニン、ロイシン、セリン、トリプトファン、シスチン、システイン、メチオニン、アスパラギン酸、グルタミン酸、アルギニンなどのアミノ酸、レチノール、パルミチン酸レチノール、塩酸ピリドキシン、ニコチン酸ベンジル、ニコチン酸アミド、ニコチン酸ｄｌ−α−トコフェロール、ビタミンＤ２、ｄｌ−α−トコフェロール、酢酸ｄｌ−α−トコフェロール、パントテン酸、ビオチンなどのビタミン類、エラストラジオール、エチニルエストラジオールなどのホルモン類、加水分解ベジタブルプロテインなどのタンパク質、シャクヤクエキス、ヘチマエキス、バラエキス、レモンエキス、アロエエキス、ショウブ根エキス、ユーカリエキス、セージエキス、海藻エキス、プラセンタエキス、シルク抽出液などの各種抽出液、香料などがあげられる。なお、有効成分は油性オイルに溶解して配合することが好ましいが、油性オイルに溶解しない有効成分の場合は発熱製剤中に分散させてもよい。また、発熱製剤を後述する親水性製剤と併用して用いる場合は、親水性製剤に配合してもよい。
【００３５】
有効成分の配合量は、発熱製剤中０．０１〜２０重量％、さらには０．０５〜１０重量％であることが好ましい。有効成分の配合量が０．０１重量％未満では有効成分の濃度が低くなりすぎ有効成分の効果を得るためには使用量が多くなる。一方、２０重量％をこえると有効成分の濃度が高くなりすぎ、有効成分によっては悪影響をおよぼす場合がある。
【００３６】
前記増粘剤は、油性オイルの粘度を高くし発熱製剤の粘度を調整して金属ハロゲン化物の安定性や水への溶解状態、さらには発熱状態を調整するなどの目的で用いられる。増粘剤としてはたとえばパルミチン酸デキストリンなどがあげられる。
【００３７】
前記増粘剤の配合量は、発熱製剤中０．１〜１０重量％、さらには０．５〜５重量％であることが好ましい。増粘剤の配合量が０．１重量％未満では発熱製剤を増粘する効果が得られにくくなる。一方１０重量％をこえると粘度が高くなりすぎて使用感が悪くなり、取り扱いにくくなる。
【００３８】
粉体は、粉体自体が有効成分として作用したり、有効成分を担持する担体、患部表面を保護するなどの目的で用いられる。粉体としては、たとえばタルク、カオリン、シリカ、ウンデシレン酸亜鉛、無水珪酸、珪酸マグネシウム、マイカ、雲母チタン、酸化マグネシウム、酸化亜鉛、酸化チタン、炭酸マグネシウム、炭酸カルシウム、ジメチルジステアリルアンモニウムベントナイト、二酸化ケイ素、シリコンパウダーなどの無機粉末、ナイロン６、ナイロン６６、ナイロン１２等のポリアミド、ポリエチレン、ポリプロピレン、ポリスチレン、ポリカーボネート、ポリエステル、アクリル樹脂、フッ素樹脂、シリコーン樹脂等の有機粉末をあげることができる。これらの粉末は、単独でまたは２種以上併用して用いることができる。さらに、発熱補助成分として、金属ハロゲン化物以外の発熱成分を配合してもよい。発熱補助成分としては、ゼオライトなどがあげられる。発熱補助成分の配合量は発熱製剤中０．１〜２０重量％、さらには０．５〜１０重量％であることが好ましい。
【００３９】
本発明の発熱製剤は、金属ハロゲン化物および油性オイルとを撹拌や練合などにより混合して金属ハロゲン化物を油性オイルに分散させることにより調製することができる。また、界面活性剤や有効成分などを配合する場合には、予め油性オイル中に溶解あるいは分散させた後、金属ハロゲン化物と混合してもよく、金属ハロゲン化物と油性オイルとを混合する際に共に混合してもよい。
【００４０】
かくして得られる発熱製剤はペースト状（スラリー状、ゲル状、クリーム状を含む）を呈しており、その粘度（２０℃）は１，０００〜５００，０００ｃＰであることが好ましく、２，０００〜３００，０００ｃＰであることがより好ましい。粘度が１，０００ｃＰ未満では粘性が低すぎるためと塗布する際に垂れやすくなる傾向があり、５００，０００ｃＰをこえると流動性が無くなって固体に近くなり、塗り伸ばしにくく使用感が悪くなる傾向がある。
【００４１】
ペースト状の発熱製剤中に分散している金属ハロゲン化物の平均粒径は０．５〜２００μｍであることが好ましく、１〜１５０μｍであることがより好ましい。平均粒径が０．５μｍ未満では水と接触すると短時間で溶解しやすく反応直後の温度上昇は大きくなるが、発熱効果が持続し難い傾向があり、２００μｍをこえると皮膚などに塗り伸ばす際にザラツキ感が強くなり、使用感が悪くなる傾向がある。また、エアゾールバルブなどの細い通路を通過して吐出させる場合には、通路や孔で詰まりやすくなる。なお、粒径を調整することにより、発熱温度と持続時間を調整することができる。
【００４２】
また、本発明の吐出製品は、使用時に金属ハロゲン化物の溶解状態を調整し、所望の発熱効果（発熱温度、持続時間）を得やくするために、親水性製剤と共に使用する発熱反応製剤とすることができる。
【００４３】
親水性製剤は特に限定は無く、たとえば、水、低級アルコールや多価アルコールなどの水溶性アルコール、さらにこれらに混合物などがあげられる。
【００４４】
水としては、たとえば精製水、イオン交換水、生理食塩水などがあげられる。
【００４５】
低級アルコールとしては、たとえば、エタノール、ｎ−プロパノール、イソプロパノール、イソブチルアルコール、ｔ−ブチルアルコールがあげられる。
【００４６】
多価アルコールとしては、たとえば、エチレングリコール、プロピレングリコール、１，３−ブチレングリコール、グリセリン、キシリトール、ソルビトール、ジエチレングリコール、ジプロピレングリコール、ジグリセリン、トリエチレングリコール、トリグリセリン、ポリエチレングリコール、ポリプロピレングリコールなどがあげられる。
【００４７】
なお、吐出後ゆるやかに温熱感が得られ、かつ温熱感を長時間持続させたい場合は、親水性製剤中の水の量を３０重量％以下、さらには２０重量％以下にすることが好ましい。水の量が３０重量％を越えると発熱成分（金属ハロゲン化物）が短時間で水に溶解しやすくなる傾向があり、温度上昇が速く、持続時間が短くなりやすい。また、親水性製剤に水を配合せず、発熱成分を多価アルコールや低級アルコール、親水性界面活性剤などのＯＨ基と反応させてもよい。
【００４８】
また、親水性製剤は、金属ハロゲン化物の溶解性を調整して所望の発熱効果を得やすくするために水溶性高分子を配合して親水性溶剤の粘度を調整することが好ましい。水溶性高分子としては、たとえば、寒天、カゼイン、デキストリン、ゼラチン、ペクチン、デンプン、アルギン酸ナトリウム、メチルセルロース、エチルセルロース、ヒドロキシエチルセルロース、ヒドロキシプロピルセルロース、ニトロセルロース、結晶セルロース、変性ポテトスターチ、ポリビニルアルコール、ポリビニルメチルエーテル、ポリビニルピロリドン、カルボキシビニルポリマー、ポリアクリル酸ナトリウム、キサンタンガムなどがあげられる。
【００４９】
水溶性高分子の含有量は、親水性製剤を所望の粘度に調整する量であり、たとえば、親水性製剤中に０．００１〜１０重量％が好ましい。０．００１重量％未満では増粘効果が得られにくくなる傾向があり、１０重量％をこえて配合しても増粘効果に大きな差が無く不経済となり、使用感が悪くなる傾向がある。
【００５０】
さらに、親水性製剤は、有効成分や界面活性剤、ｐＨ調整剤などを配合することもできる。
【００５１】
有効成分は、前述の発熱製剤と同じ有効成分を配合することができ、その配合量も発熱製剤と同量配合することができる。また、両製剤に同じ有効成分を配合してもよい。
【００５２】
界面活性剤は、親水性製剤を発熱製剤と同じペースト状あるいは泡状にして発熱製剤中の金属ハロゲン化物と水分との接触を調整したり、また、使用後に洗浄しやすくするために用いられる。さらに、発熱製剤に界面活性剤を配合せず、親水性製剤に界面活性剤を配合して発熱製剤中の金属ハロゲン化物と親水性製剤中の水分との接触を調整して発熱効果を調整することができる。その場合、発熱製剤には親水基が含まれないため、特に安定性に優れた吐出製品が得られ、設計通りの発熱効果が得られる。また、界面活性剤を油性オイルとともに配合して親水性製剤を油中水型あるいは水中油型エマルジョンにしてもよい。油中水型エマルジョンとする場合は、吐出後直ぐに発熱成分が水へ溶解しないため、吐出物を指で塗り伸ばすなど、使用時に剪断を加えたときに温熱感が得られるようにすることができる。さらに、吐出物に剪断を加えることで発熱製剤と親水性製剤とがエマルジョンを形成しても良い。この場合、吐出物がクリーム状に変化して塗り伸ばしやすくなるなど、使用感を向上させることができる。界面活性剤としては特に限定されず、前述の親油性および親水性の界面活性剤を用いることができる。
【００５３】
ｐＨ調整剤は、親水性製剤のｐＨを調整して皮膚や頭髪への影響を少なくするだけでなく、金属ハロゲン化物の溶解性を調整して発熱効果を調整するために用いられる。ｐＨ調整剤としては、たとえば、クエン酸、乳酸、リンゴ酸、コハク酸、アジピン酸、酒石酸、グリコール酸、フタル酸、マロン酸、アスコルビン酸、酢酸などの有機酸、リン酸２水素ナトリウム、炭酸カリウム、炭酸水素ナトリウム、アミノメチルプロパノール、アミノメチルプロパンジオール、アミノエチルプロパンジオール、モノエタノールアミン、ジエタノールアミン、トリエタノールアミン、モノイソプロパノールアミン、水酸化カリウムなどがあげられる。
【００５４】
親水性製剤は、水溶性高分子や有効成分、界面活性剤などの任意成分を水や水溶性アルコール、アルコール水溶液などに溶解あるいは分散、乳化させることにより調製することができる。
【００５５】
かくして得られる親水性製剤は、発熱製剤に求められる性能に応じてその形態を適宜選択することができ、たとえば液状、粘度が１０〜１，０００ｃＰ程度の粘ちょう液、さらには、水溶性高分子や界面活性剤などを配合してその粘度を上昇させてペースト状（スラリー状、ゲル状、クリーム状を含む）とすることもできる。また、イソペンタンやノルマルペンタンなどの微発泡剤や、ノルマルブタン、イソブタン、プロパンなどの発泡剤を配合して泡状（微発泡、後発泡を含む）としてもよい。なお、親水性製剤をペースト状とする場合は、発熱製剤を親水性製剤との粘度比を１：５〜５：１、さらには１：３〜３：１に調整することが好ましい。特に、吐出後発熱製剤と混和させ易い点から両者の粘度比を１：２〜２：１と同程度にすることが好ましい。また、前記粘度比の範囲内で両者に粘度差を設け、発熱状態を調整することもできる。
【００５６】
発熱製剤と共に親水性製剤を用いる場合、発熱製剤と親水性製剤との吐出量比は１０／９０〜９０／１０（重量比）であることが好ましく、２０／８０〜８０／２０であることがより好ましい。吐出量比が１０／９０未満では親水性製剤が過剰となり、金属ハロゲン化物が溶解しても過剰量の親水性製剤により温度上昇が抑制されて発熱効果が小さくなりやすい傾向があり、９０／１０をこえると発熱製剤中の金属ハロゲン化物が親水性製剤に均等に溶解しにくくなり、発熱効果にバラツキが生じやすく、また発熱効果が小さくなる傾向がある。特に、発熱製剤と親水性製剤とを４０／６０〜６０／４０とほぼ等重量の比率で吐出する場合は、吐出された発熱製剤に含まれる発熱成分と親水性製剤に含まれる水の量を設定し易く、発熱温度や持続時間などの発熱効果の調整が容易になり、所望の発熱効果が得やすくなる。
【００５７】
本発明の吐出製品は、水分を透過しない容器である容器本体に前述の発熱製剤を充填したものである。水分を透過しない容器とは、水分を透過しない素材を用いた容器をいい、吐出時および保管時に、充填された発熱製剤と空気中の水分が接触しないように、吐出できる構造を持つ容器をいう。
【００５８】
このような構造を持つ容器としては、たとえば、気密性を有するポンプ付き容器、エアゾール容器などがあげられる。
【００５９】
図１は容器本体２の頭部に装着されるポンプ部の断面、図２はポンプ付き容器の一例の断面である。
【００６０】
図２に示すポンプ付き容器は、容器本体２と、容器本体２の頭部に装着されるバルブ６を備えるポンプ部と、ポンプ部を作動させる吐出部材７とからなる。
【００６１】
容器本体２は、水分を透過しないものであれば特に限定はなく、たとえば、アルミニウムやブリキなどの金属、ポリエチレンテレフタレートなどの合成樹脂、耐圧ガラスなどを用いることができる。また、容器本体２は、円筒状であり、底部に挿入されている可動底部８と、上端に形成された筒状口部のシリンダー９とを有する。
【００６２】
可動底部８は、容器本体２の内面と密着摺動し、内部が負圧になれば頭部側へ移動してピストンの働きをする底部材１０と、底部材１０を頭部側にのみ移動可能にする爪１１と、爪１１を拡大方向に付勢するバネ１２とからなる。
【００６３】
図１に示すポンプ部は、一方の端部がシリンダ９内に摺動自在に挿入された第１筒部１３および該第１筒部１３の他方の端部に固着されており先端面が閉塞された第２筒部１４からなるピストンを有し、さらに第２筒部１４の先端部に横孔１５が形成され、該横孔１５を密閉するように第２筒部１４先端外周に密嵌着された弾性を有するリング状パッキン１６とからなるバルブ６を備えている。なお、第１筒部１３と第２筒部１４との間には、ボール弁式の逆止弁１７が設けられている。
【００６４】
吐出部材７は、ピストンを覆うように設けられるとともに、その内周面にバルブ６の開弁部を有するスパウト１８と、該スパウト１８を容器本体２から抜出する方向に付勢する第２スプリング１９、およびピストンを容器本体２から抜出する方向に付勢する第１スプリング２０からなる。
【００６５】
該ポンプ付き容器を用いて吐出製品１を製造する場合は、発熱製剤４を容器本体２に充填したのち、容器本体２のシリンダーにバルブ６を備えるポンプ部を装着し、さらにスパウト１８を取り付けることにより得ることができる。
【００６６】
該吐出製品１を使用する際には、吐出部材７を押し下げるとスパウト１８の開弁部がリング状パッキン１６をたわませて横孔１５を開口するとともに、ピストンが下方に移動しながら発熱製剤４を押し出す。吐出部材７の押し下げを止めると第２スプリング１９の弾発力でスパウト１８は元の位置に復帰し、リング状パッキン１６も元の状態に復帰して横孔１５を塞ぐ。このとき容器本体２は負圧となるが、可動底部８が容器本体２の頭部側へ移動し、負圧が解消される。
【００６７】
該ポンプ付き容器を用いることにより、発熱製剤４を空気中の水分と接触しないように吐出でき、また、可動底部８が容器本体２の頭部側へ移動して気密状態にするので、空気中の水分が発熱製剤の充填部分に侵入することがない。
【００６８】
図３に本発明の吐出製品１に用いられるエアゾール容器の一例を示す。
【００６９】
該エアゾール容器は、内部に可撓性を有する内袋２１を備えた容器本体２と、容器本体２開口部に固着されるバルブ６と、バルブ６に装着される吐出部材７とからなる。
【００７０】
容器本体２は、水分を透過せず、耐圧性を有するものであれば特に限定はなく、たとえば、アルミニウムやブリキなどの金属、ポリエチレンテレフタレートなどの合成樹脂、耐圧ガラスなどを用いることができる。また、容器本体２は有底筒状であり、開口部にバルブ６を固着するためのビード部が形成されている。
【００７１】
内袋２１は、ポリエチレンやポリプロピレン、ポリエバール、ポリアミド、フッ素樹脂などの合成樹脂やアルミニウムなどの金属箔の単層体およびこれらの積層体で有底筒状に形成されており、圧力差により収縮する可撓性を有する。内袋２１は容器本体２に挿入され、その底部が容器本体２の底部と当接している。
【００７２】
バルブ６は、容器本体２のビード部にクリンプ（あるいはクリンチ）されるマウンティングカップ２２と、該マウンティングカップ２２中央に保持されるハウジング２３と、ハウジング２３内に上下動自在に収容されるステム２４と、ステム２４のステム孔２５を開閉するステムラバー２６と、ステム２４を常時上向きに付勢し、ステム孔２５がステムラバー２６によりシールされる位置にするスプリング２７とからなる従来公知のものである。
【００７３】
なお、ハウジング２３の下端に容器底部近辺まで伸びるディップチューブを備えたバルブ６を用いてもよい。また、ステム２４を傾動可能とし、傾動したときにステム孔２５が開放され、発熱製剤４を吐出できるティルト式バルブを用いてもよい。
【００７４】
吐出部材７は、バルブ６のステム２４に装着され、バルブ６から吐出孔５まで連通する通路２８を有する。
【００７５】
該エアゾール容器を用いて吐出製品１を製造する場合は、内袋２１に発熱製剤４を充填したのち、内袋２１と容器本体２との間の空間である加圧剤充填部３に圧縮ガスや液化ガスなどの加圧剤を充填し、バルブ６のマウンティングカップ２２を容器本体２のビード部に固着し、さらにバルブ６のステム２４に吐出部材７を装着することにより製造することができる。圧縮ガスとしては、チッ素ガスや炭酸ガス、亜酸化チッ素ガス、圧縮空気などを用いることができる。
【００７６】
圧縮ガスの充填量は、エアゾール容器内部の圧力が０．３〜１．０ＭＰａとなる量であることが好ましい。充填量が０．３ＭＰａより少ないと発熱製剤を全量吐出できなくなる傾向があり、１．０ＭＰａをこえると発熱製剤を全量吐出したのちでも圧力が高く、廃棄時の安全性が低い傾向がある。液化ガスとしては液化石油ガス、ジメチルエーテル、各種フロン類およびこれらの混合物などを用いることができる。液化ガスの充填量としては０．１〜１０重量％であることが好ましい。
【００７７】
該吐出製品１を使用する際には、吐出部材７を押し下げるとバルブ６が開放され、内袋２１内部と大気とが連通する。このとき加圧剤の圧力により内袋２１が収縮されて内袋２１内部の発熱製剤４が外部に吐出される。
【００７８】
該エアゾール容器を用いることにより、発熱製剤４を空気中の水分と接触しないように吐出でき、また、発熱製剤４の吐出時や、発熱製品１の保管時は、加圧剤によって内袋２１が常に加圧された状態となっているので、空気中の水分が発熱製剤４の充填部分に侵入することがない。なお、容器本体と内袋との間の空間に、シリカゲルやゼオライトなどの水分を吸着する吸着剤を設けても良い。この場合、前記空間内の水分を低下させることができるため、発熱製剤をより安定に保存できる。
【００７９】
また、本発明の吐出製品１は、発熱製剤と親水性製剤とを非接触状態で収納可能な容器に充填してもよい。非接触状態で収納可能な容器としては、図４および図５に示すエアゾール容器などがあげられる。
【００８０】
図４に本発明の吐出製品１に用いられるエアゾール容器の他の形態を示す。
【００８１】
該エアゾール容器は、図３のエアゾール容器よりも細く、内部に可撓性を有する内袋２１を備えた容器本体２を２本用い、各容器本体２の開口部に固着されるバルブ６と、２本の容器本体２を連結し各バルブ６に装着される吐出部材７とからなる。
【００８２】
吐出部材７は、各バルブ６のステム２４に装着され押し部３０を有するノズル３１と、各バルブ６のマウンティングカップ２２に装着され、２本の容器本体２を並列的に連結させる連結部材３２と、各容器本体２の肩部に装着され、ノズル３１と連結部材３２とを覆うカバー部材３３とを有する。
【００８３】
該エアゾール容器を用いて吐出製品１を製造する場合は、先ず容器本体２の内袋２１に発熱製剤４を充填したのち、内袋２１と容器本体２との間の空間である加圧剤充填部３に加圧剤を充填し、バルブ６のマウンティングカップ２２を容器本体２の開口部に固着して、発熱用第１剤を製造する。一方で、他の容器本体２の内袋２１に親水性製剤２９を充填し、同様に加圧剤を充填しバルブ６を固着して発熱用第２剤を製造する。さらに発熱用第１剤と第２剤とを並列にセットし、各エアゾール容器に吐出部材７を装着することにより製造することができる。
【００８４】
該吐出製品１を使用する際には、ノズル３１の指押し部３０を押し下げると、各バルブ６が開放し、各エアゾール容器から発熱製剤４と親水性製剤２９とがノズル３１に供給され、発熱製剤４と親水性製剤２９とが同時に吐出孔５から吐出される。なお、発熱製剤４と親水性製剤２９の粘度や吐出量比などを調整することにより、吐出物の発熱開始時間や温度上昇の速度、持続時間などの発熱状態を調整することができる。また、吐出部材７内部の通路２８に隔壁を設けて発熱製剤４と親水性製剤２９とを分離することにより、未反応の状態で吐出することができ、吐出後、指で塗りのばすなどして発熱製剤と親水性製剤とを混合し、発熱効果を得ることができる。また、吐出部材７内部に混合部材を設けて発熱製剤４と親水性製剤２９とが反応し発熱した状態で吐出することもできる。
【００８５】
図５に本発明の吐出製品１に用いられるエアゾール容器のさらに他の形態を示す。該エアゾール容器は、容器本体２と、上下に収納部を有する可撓性の内袋２１と、内袋２１の上下の収納部を遮断する中栓３４と、容器本体２のビード部に固着されるバルブ６と、ハウジング２３と中栓３４とを連通するチューブ３５と、ステム２４に装着される吐出部材７とからなる。
【００８６】
内袋２１はひょうたん型であり、中央にくびれ部を有し、くびれ部より下部が下収納部、上部が上収納部に区分けされる。他の構成は図４の内袋２１と実質的に同じであるが、該形態の場合は１つの内袋に異なる内容物を充填しており、親水性製剤中の水が内袋を透過して発熱製剤中の発熱成分を劣化させる可能性があるため、内袋の材質としてはポリエチレン、ポリプロピレンなどの水透過量の少ないポリオレフィンを用いることが好ましい。中栓３４は、上部にチューブ装着部と該チューブ装着部と下収納部とを連通する通路とを有し、円筒状の側面にくびれ部と係合する係合突起３６を有する。中栓３４はくびれ部に挿入されると係合突起３６がくびれ部と係合して上収納部と下収納部を遮断すると共に、容器が転倒あるいは落下したり、充填持の圧力により衝撃が加わっても中栓３４はくびれ部から外れない。
【００８７】
バルブ６は、ハウジング２３の下部がチューブ３５を介して内袋２１の下収納部と連通しており、ハウジング２３の側面には内袋２１の上収納部と連通可能な通路２８が備えている。なお、各通路には、ハウジング２３内部に導入され、ここで反応した発熱製剤４と親水性製剤２９とが各収納部に逆流し内容物を劣化させないために逆止弁を設けることが好ましい。また、各通路をバルブ６のステム孔２５まで独立して連通させ、バルブ６内では発熱製剤４と親水性製剤２９とが完全に接触しない状態にしてもよい。
【００８８】
該エアゾール容器を用いて吐出製品１を製造する場合は、内袋２１の下収納部に発熱製剤４を充填し、チューブ３５を挿入している中栓３４をくびれ部に装着して下収納部を遮断し、上収納部に親水性製剤２９を充填する。ついで、バルブ６を容器本体２開口部に載置してチューブ３５をハウジング２３下部に装着する。さらに内袋２１と容器本体２との間の空間である加圧剤充填部３に加圧剤を充填しながらバルブ６のマウンティングカップ２２を容器本体２のビード部に固着して、バルブ６のステム２４に吐出部材７を装着することにより製造することができる。なお、下収納部に親水性製剤２９を充填し、上収納部に発熱製剤４を充填してもよい。
【００８９】
該吐出製品１を使用する場合は、吐出部材７を押し下げると下収納部から発熱製剤４がチューブ３５を通ってハウジング２３内部に導入され、また、上収納部から親水性製剤２９がハウジング２３側面の通路２８を通ってハウジング２３内部に導入される。ハウジング２３内部に導入された各内容物は、分離された状態であるいは混合されて発熱した状態でステム孔２５から吐出部材７に送られ、吐出孔５より吐出される。該吐出製品も図４に示す吐出製品と同様に、発熱製剤と親水性製剤の粘度や吐出量比などを調整することにより、吐出物の発熱状態を調整することができる。
【００９０】
該エアゾール容器を用いることにより、発熱製剤４を空気中の水分と接触しないように吐出でき、また、発熱製剤４の吐出時や、発熱製品１の保管時は、加圧剤によって内袋２１が常に加圧された状態となっているので、空気中の水分が発熱製剤４の充填部分に侵入することがない。
【００９１】
本発明の吐出製品は、皮膚や頭髪に発熱製剤を直接塗布し、皮膚や頭髪、空気中の水分により発熱させてもよいが、塗布したい箇所を予め水で濡らしてから塗布してもよい。また、塗布した後で水を付与してもよい。
【００９２】
該吐出製品により得られる発熱効果は、皮膚や頭髪に使用したとき肌で温熱感を感じる程度であることが好ましく、たとえば発熱製剤による上昇温度は５〜６０℃であることが好ましく、１０〜５０℃であることがより好ましい。また、発熱効果の持続時間は、吐出製品の用途や目的などに応じて調整することができるが、たとえば、温度が１０℃以上上昇した状態が６０秒以上持続することが好ましく、１２０秒以上持続することがより好ましい。
【００９３】
本発明の吐出製品は、特定の成分および形態の発熱製剤を前述の水分を透過しない容器に充填しているため、長期間保存した場合であっても金属ハロゲン化物が劣化することなく、発熱効果を維持することができる。そのため、本発明の吐出製品は、特に限定されるものではないが、たとえば保温剤、マッサージ剤、パック剤、クレンジング剤、皮膚保護剤、鎮痛剤、鎮痒剤、シェービング剤、脱毛剤、角質除去剤などの化粧、薬用スキンケア製品やトリートメント剤、スタイリング剤、カラーリング剤などの頭髪用製品として好適に用いることができる。
【実施例】
【００９４】
つぎに、本発明の吐出製品を実施例に基づいてさらに詳細に説明するが、本発明はかかる実施例のみに限定されるものではない。なお、実施例中において、とくに断りのない限り、％は重量％を示す。
【００９５】
実施例１〜３
吐出製品の製造
表１に示す各成分を所定の配合比で混合し、発熱製剤を調製した。該発熱製剤を図３に示す容器の内袋に充填し、次いで、圧縮ガスとしてチッ素ガスを容器本体と内袋との間の空間に充填し、バルブを固着した。
【００９６】
【表１】
2004250440.tif 000003
【００９７】
比較例１
実施例１の発熱製剤を、水分を透過しうる樹脂製チューブ容器に充填したものを製造した。
【００９８】
比較例２
流動パラフィンをプロピレングリコールで置き換えた以外は実施例１の発熱製剤と同じものを調製し、実施例１と同様に吐出製品を製造した。
【００９９】
＜粒径測定＞
調製した発熱製剤中に分散している塩化マグネシウムの粒径をレーザー回折式粒度分布測定装置（ＳＡＬＤ−２０００、（株）島津製作所製）を用いて測定した。結果を表２に示す。
【０１００】
＜粘度測定＞
調製した発熱製剤の２０℃における粘度をＢ型粘度計（東京計器社製）を用いて測定した。結果を表２に示す。
【０１０１】
＜温熱感＞
予め霧吹きを用いて水で濡らした手のひらに発熱製剤を塗布し、指で塗り伸ばしたときの温熱感を評価した。結果を表２に示す。
◎：温かく感じられ、かつ効果が持続した。
○：温かく感じられるが、効果の持続がやや短い。
△：温かさを感じるが、物足りない。効果が持続しない。
×１：温かさをほとんど感じない。
×２：熱くなりすぎた。
【０１０２】
＜使用感＞
予め霧吹きを用い水で濡らした手のひらに発熱製剤を塗布し、指で塗り伸ばしのちのべたつき感の有無、および水で洗浄したときの洗浄性を評価した。結果を表２に示す。
○：べたつき感が無く、また容易に洗浄できた。
△：べたつき感があり、完全に洗浄除去できなかった。
×：べたつき感が強く、洗浄除去できなかった。
【０１０３】
＜発熱試験＞
２０℃に調整した吐出製品より発熱製剤をシャーレに３ｇ吐出し、吐出物に等量の水を付与したときの温度上昇をデジタル温度計（カスタム社製）測定した。結果を表３に示す。
【０１０４】
＜安定性試験＞
吐出製品を２５℃の恒温室に６カ月間保存し、保存品について前記発熱試験を行ない、発熱効果の変化について評価した。結果を表２に示す。
◎：発熱状態（発熱開始時間、温度上昇の速度、最高到達温度、持続時間）に大きな変化は認められなかった。
○：最高到達温度がわずかに（３℃以下）低下したが、他の発熱状態に大きな変化は認められなかった。
△：発熱状態が低下し、特に最高到達温度が３〜１０℃低くなり、持続時間が短くなった。
×：発熱状態が大きくて低下し、特に最高到達温度が１０℃以上低くなり、持続時間が短くなった。
【０１０５】
【表２】
2004250440.tif 000004
【０１０６】
【表３】
2004250440.tif 000005
【０１０７】
表２より、金属ハロゲン化物および油性オイルからなるペースト状発熱製剤を水分を透過しない容器に充填した実施例１〜３は温熱感、使用感、安定性すべてにおいて優れた結果が得られた。一方水分を透過する容器に充填した比較例１および水性オイルを用いた比較例２は共に温熱感が低下し、また安定性が低下する結果が得られた。
【０１０８】
表３に示した発熱試験結果を図６のグラフを用いて説明する。図６の縦軸は温度（℃）、横軸は吐出後の経過時間（秒）を示している。図６中のＡは実施例１の発熱試験結果を示し、Ｂは実施例２の発熱試験結果を示し、Ｃは実施例３の発熱試験結果を示している。用いた界面活性剤のＨＬＢは、実施例１では２．５、実施例２ではＨＬＢ７．０、実施例３では１５．０である。グラフより、界面活性剤のＨＬＢが低くなるほど（親油性が強くなると）、昇温速度が緩やかになり、持続時間が長くなることがわかる。
【０１０９】
実施例４〜６
表４に示す各成分を所定の配合比で混合し、発熱製剤を調製した。該発熱製剤を図３に示す容器の内袋に充填し、次いで圧縮ガスとしてチッ素ガスを容器本体と内袋との間の空間に充填し、バルブを固着した。
【０１１０】
【表４】
2004250440.tif 000006
【０１１１】
実施例１と同様に、発熱製剤中の塩化マグネシウムの粒径および発熱製剤の粘度の測定、温熱感および使用感の評価、発熱試験および安定性試験を行なった。結果を表５、表６に示す。
【０１１２】
【表５】
2004250440.tif 000007
【０１１３】
【表６】
2004250440.tif 000008
【０１１４】
実施例７〜１０
表７に示す各成分を所定の配合比で混合し、発熱製剤を調製した。該発熱製剤を図３に示す容器の内袋に充填し、次いで圧縮ガスとしてチッ素ガスを容器本体と内袋との間の空間に充填し、バルブを固着した。
【０１１５】
【表７】
2004250440.tif 000009
【０１１６】
実施例１と同様に、発熱製剤中の塩化マグネシウムの粒径および発熱製剤の粘度の測定、温熱感および使用感の評価、発熱試験および安定性試験を行なった。結果を表８、表９に示す。
【０１１７】
【表８】
2004250440.tif 000010
【０１１８】
【表９】
2004250440.tif 000011
【０１１９】
実施例１１〜１２
表１０に示す各成分を所定の配合比で混合し、発熱製剤を調製した。該発熱製剤を図３に示す容器の内袋に充填し、次いで圧縮ガスとしてチッ素ガスを容器本体と内袋との間の空間に充填し、バルブを固着した。
【０１２０】
【表１０】
2004250440.tif 000012
【０１２１】
実施例１と同様に、発熱製剤中の塩化マグネシウムの粒径および発熱製剤の粘度の測定、温熱感および使用感の評価、発熱試験および安定性試験を行なった。結果を表１１、表１２に示す。
【０１２２】
【表１１】
2004250440.tif 000013
【０１２３】
【表１２】
2004250440.tif 000014
【０１２４】
実施例１３
下記に示す各成分を所定の配合比で混合し、ハンドクリーム用発熱製剤を調製した。
＜発熱製剤＞（オイルペースト処方）
流動パラフィン（＊４）                                ３７．５
モノステアリン酸ＰＯＥ（２０）ソルビタン（＊12）      １５．０
パルミチン酸セチル                                      ５．０
セタノール                                              ７．５
ラノリン                                                ２．５
メチルポリシロキサン                                    ２．５
無水塩化マグネシウム                                  ３０．０      
合    計                                      １００．０（％）
＊12：ＴＳ−１０(商品名)、日光ケミカルズ（株）製、ＨＬＢ１４．９
【０１２５】
下記に示す各成分を混合して親水性製剤を調製した。
＜親水性製剤＞（石けん処方）
ステアリン酸                                          １３．３
トリエタノールアミン                                    １．７
プロピレングリコール                                    ８．３
ソルビトール（７０％）                                  ３．３
キサンタンガム                                          １．７
防腐剤                                                  ０．２
精製水                                                ７１．５      
合    計                                      １００．０（％）
【０１２６】
図５に示したエアゾール容器を用い、前記発熱製剤４０ｇを下収納部に充填し、次いで中栓を装着して下収納部を遮断した。次いで上収納部に前記親水性製剤６０ｇを充填し、容器本体の開口部にバルブを載置したのち、圧縮ガスとしてチッ素ガスを充填して吐出製品（エアゾール製品）を製造した。なお、エアゾール容器内部の圧力は０．８ＭＰａである。
【０１２７】
実施例１と同様に、発熱製剤中の塩化マグネシウムの粒径および発熱製剤の粘度の測定、安定性試験を行なった。温熱感と使用感は水で濡らしていない乾燥している手のひらで評価した（評価基準は実施例１と同様）。また、発熱試験は２０℃に調整した吐出製品から発熱製剤と親水性製剤をシャーレに６ｇ吐出したときの温度上昇をデジタル温度計で測定した。結果を表１３、表１４に示す。
【０１２８】
実施例１４
下記に示す各成分を所定の配合比で混合し、パック用発熱製剤を調製した。
＜発熱製剤＞（オイルワックス処方）
固形パラフィン                                        ４３．５
マイクロクリスタリンワックス                            ９．０
セタノール                                              ５．０
流動パラフィン（＊４）                                １６．５
ジメチジステアリルアンモニウムベントナイト              ２．０
モノステアリン酸ＰＯＥ（２０）ソルビタン（＊12）        ６．０
無水塩化マグネシウム                                  １８．０      
合    計                                      １００．０（％）
【０１２９】
下記に示す各成分を混合して親水性製剤を調製した。
＜親水性製剤＞（水性ジェル処方）
エタノール                                            ２５．０
ヒドロキシプロピルセルロース                            １．５
精製水                                                ７３．５      
合    計                                      １００．０（％）
【０１３０】
図５に示したエアゾール容器を用い、前記発熱製剤８０ｇを下収納部に充填し、次いで中栓を装着して下収納部を遮断した。次いで上収納部に前記親水性製剤２０ｇを充填し、容器本体の開口部にバルブを載置したのち、圧縮ガスとしてチッ素ガスを充填して吐出製品（エアゾール製品）を製造した。なお、エアゾール容器内部の圧力は０．８ＭＰａである。
【０１３１】
実施例１３と同様に、発熱製剤中の塩化マグネシウムの粒径および発熱製剤の粘度の測定、温熱感および使用感の評価、発熱試験および安定性試験を行なった。結果を表１３、表１４に示す。
【０１３２】
実施例１５
下記に示す各成分を所定の配合比で混合し、クレンジング用発熱製剤を調製した。
＜発熱製剤＞（オイルペースト処方）
流動パラフィン（＊４）                                ６２．０
モノオレイン酸ジグリセリル（＊13）                      ２．０
セスキオレイン酸ソルビタン（＊14）                      ２．０
二酸化ケイ素                                            ４．０
無水塩化マグネシウム                                  ３０．０      
合    計                                      １００．０（％）
【０１３３】
下記に示す各成分を混合して親水性製剤を調製した。
＜親水性製剤＞（水性ジェル処方）
濃グリセリン                                          ７３．０
ポリエチレングリコール                                  ４．０
カルボキシビニルポリマー                                ３．０
精製水                                                ２０．０      
合    計                                      １００．０（％）
＊13：ＤＧＭＯ−Ｃ（商品名）、日光ケミカルズ（株）製、ＨＬＢ５．５
＊14：ＳＯ−１５（商品名）、日光ケミカルズ（株）製、ＨＬＢ３．７
【０１３４】
図４に示したエアゾール容器を用い、前記発熱製剤５０ｇを内袋に充填し、容器本体の開口部にバルブを載置したのち、圧縮ガスとしてチッ素ガスを充填して発熱用第１剤を製造した。次いで前記親水性製剤５０ｇを内袋に充填し、同様に充填して発熱用第２剤を製造した。なお、各エアゾール容器内部の圧力は０．８ＭＰａである。第１剤と第２剤とを連結し吐出部材を装着し、吐出製品を製造した。
【０１３５】
実施例１３と同様に、発熱製剤中の塩化マグネシウムの粒径および発熱製剤の粘度の測定、温熱感および使用感の評価、発熱試験および安定性試験を行なった。結果を表１３、表１４に示す。
【０１３６】
実施例１６
下記に示す各成分を所定の配合比で混合し、マッサージ用発熱製剤を調製した。
＜発熱製剤＞（オイルペースト処方）
流動パラフィン（＊４）                                ５５．０
トリオレイン酸ＰＯＥ（２０）ソルビタン（＊６）        １０．０
パルミチン酸デキストリン                                ５．０
無水塩化マグネシウム                                  ３０．０      
合    計                                      １００．０（％）
【０１３７】
下記に示す各成分を混合して親水性製剤を調製した。
＜親水性製剤＞（ポリオール処方）
濃グリセリン                                          ４０．０
１，３−ブチレングリコール                            ２８．０
プロピレングリコール                                  １０．０
ＰＯＥ（２０）ＰＯＰ（４）セチルエーテル（＊15）        ２．０
ＰＯＥ（６０）硬化ヒマシ油（＊16）                      ５．０
精製水                                                １５．０      
合    計                                      １００．０（％）
＊15：ＰＢＣ−４４（商品名）、日光ケミカルズ（株）製、ＨＬＢ１２．５
＊16：ＨＣＯ−６０（商品名）、日光ケミカルズ（株）製、ＨＬＢ１４．０
【０１３８】
図５に示したエアゾール容器を用い、前記発熱製剤５０ｇを下収納部に充填し、次いで中栓を装着して下収納部を遮断した。次いで上収納部に前記親水性製剤５０ｇを充填し、容器本体の開口部にバルブを載置したのち、圧縮ガスとしてチッ素ガスを充填して吐出製品（エアゾール製品）を製造した。なお、エアゾール容器内部の圧力は０．８ＭＰａである。
【０１３９】
実施例１３と同様に、発熱製剤中の塩化マグネシウムの粒径および発熱製剤の粘度の測定、温熱感および使用感の評価、発熱試験および安定性試験を行なった。結果を表１３、表１４に示す。
【０１４０】
実施例１７
下記に示す各成分を所定の配合比で混合し、ヘアワックス用発熱製剤を調製した。
＜発熱製剤＞（オイルペースト処方）
ＰＯＥ（２１）ラウリルエーテル（＊17）                ５４．０
流動パラフィン                                        １４．０
オレイルアルコール                                      ６．０
オリーブ油                                              ４．０
パルミチン酸デキストリン                                ２．０
無水塩化マグネシウム                                  ２０．０      
合    計                                      １００．０（％）
【０１４１】
下記に示す各成分を混合して親水性製剤を調製した。
＜親水性製剤＞（水性ジェル処方）
濃グリセリン                                            ６．０
キサンタンガム                                          ４．０
防腐剤                                                  ０．２
精製水                                                ８９．８      
合    計                                      １００．０（％）
＊17：ＢＬ−２１（商品名）、日光ケミカルズ（株）製、ＨＬＢ１９．０
【０１４２】
図５に示したエアゾール容器を用い、前記発熱製剤５０ｇを下収納部に充填し、次いで中栓を装着して下収納部を遮断した。次いで上収納部に前記親水性製剤５０ｇを充填し、容器本体の開口部にバルブを載置したのち、圧縮ガスとしてチッ素ガスを充填して吐出製品（エアゾール製品）を製造した。なお、エアゾール容器内部の圧力は０．８ＭＰａである。
【０１４３】
実施例１３と同様に、発熱製剤中の塩化マグネシウムの粒径および発熱製剤の粘度の測定、温熱感および使用感の評価、発熱試験および安定性試験を行なった。結果を表１３、表１４に示す。
【０１４４】
実施例１８
下記に示す各成分を所定の配合比で混合し、ヘアコンディショナー用発熱製剤を調製した。
＜発熱製剤＞（オイルペースト処方）
ミリスチン酸イソプロピル                                ５．０
セラミド２                                              ０．００４
トリオレイン酸ＰＯＥ（２０）ソルビタン（＊６）        １０．０
流動パラフィン（＊４）                                ５４．９９６
無水塩化マグネシウム                                  ３０．０      
合    計                                      １００．０（％）
【０１４５】
下記に示す各成分を混合して親水性製剤を調製した。
＜親水性製剤＞（水性ジェル処方）
塩化ステアリルトリメチルアンモニウム                    ６．０
キサンタンガム                                          ５．０
加水分解ベジタブルプロテイン                            １．０
防腐剤                                                  ０．２
精製水                                                ８７．８      
合    計                                      １００．０（％）
【０１４６】
図５に示したエアゾール容器を用い、前記発熱製剤５０ｇを下収納部に充填し、次いで中栓を装着して下収納部を遮断した。次いで上収納部に前記親水性製剤５０ｇを充填し、容器本体の開口部にバルブを載置したのち、圧縮ガスとしてチッ素ガスを充填して吐出製品（エアゾール製品）を製造した。なお、エアゾール容器内部の圧力は０．８ＭＰａである。
【０１４７】
実施例１３と同様に、発熱製剤中の塩化マグネシウムの粒径および発熱製剤の粘度の測定、温熱感および使用感の評価、発熱試験および安定性試験を行なった。結果を表１３、表１４に示す。
【０１４８】
実施例１９
下記に示す各成分を所定の配合比で混合し、ヘアコンディショナー用発熱製剤を調製した。
＜発熱製剤＞（オイルペースト処方）
ミリスチン酸イソプロピル                                ５．０
セラミド２                                              ０．００４
トリオレイン酸ＰＯＥ（２０）ソルビタン（＊６）        １０．０
流動パラフィン（＊４）                                ５４．９９６
無水塩化マグネシウム                                  ３０．０      
合    計                                      １００．０（％）
【０１４９】
下記に示す各成分を混合して親水性製剤を調製した。
＜親水性製剤＞（Ｗ／Ｏ型エマルジョン処方）
流動パラフィン（＊４）                                １０．０
モノオレイン酸ジグリセリル（＊13）                      １．０
セスキオレイン酸ソルビタン（＊14）                      １．０
精製水                                                ８８．０      
合    計                                      １００．０（％）
【０１５０】
図５に示したエアゾール容器を用い、前記発熱製剤５０ｇを下収納部に充填し、次いで中栓を装着して下収納部を遮断した。次いで上収納部に前記親水性製剤５０ｇを充填し、容器本体の開口部にバルブを載置したのち、圧縮ガスとしてチッ素ガスを充填して吐出製品（エアゾール製品）を製造した。なお、エアゾール容器内部の圧力は０．８ＭＰａである。
【０１５１】
実施例１３と同様に、発熱製剤中の塩化マグネシウムの粒径および発熱製剤の粘度の測定、温熱感および使用感の評価、発熱試験および安定性試験を行なった。結果を表１３、表１４に示す。
【０１５２】
実施例２０
下記に示す各成分を所定の配合比で混合し、発熱製剤を調製した。
＜発熱製剤＞（オイルペースト処方）
流動パラフィン（＊４）                                ６８．０
パルミチン酸デキストリン                                ２．０
無水塩化マグネシウム                                  ３０．０      
合    計                                      １００．０（％）
【０１５３】
下記に示す各成分を混合して親水性製剤を調製した。
＜親水性製剤＞（水性ジェル処方）
キサンタンガム                                          ４．０
パラオキシ安息香酸メチル                                ０．２
ＰＯＥ（２０）セチルエーテル（＊18）                    ５．０
精製水                                                ９０．８      
合    計                                      １００．０（％）
＊18：ＢＣ−２０ＴＸ（商品名）、日光ケミカルズ（株）製、ＨＬＢ１７．０
【０１５４】
図５に示したエアゾール容器を用い、前記発熱製剤５０ｇを下収納部に充填し、次いで中栓を装着して下収納部を遮断した。次いで上収納部に前記親水性製剤５０ｇを充填し、容器本体の開口部にバルブを載置したのち、圧縮ガスとしてチッ素ガスを充填して吐出製品（エアゾール製品）を製造した。なお、エアゾール容器内部の圧力は０．８ＭＰａである。
【０１５５】
実施例１３と同様に、発熱製剤中の塩化マグネシウムの粒径および発熱製剤の粘度の測定、温熱感および使用感の評価、発熱試験および安定性試験を行なった。結果を表１３、表１４に示す。
【０１５６】
【表１３】
2004250440.tif 000015
【０１５７】
【表１４】
2004250440.tif 000016
【０１５８】
実施例２１
下記に示す各成分を所定の配合比で混合し、発熱製剤を調製した。発熱製剤中の無水塩化マグネシウムの平均粒径は２０μｍ、発熱製剤の粘度は、１６，０００ｃＰであった。
＜発熱製剤＞（オイルペースト処方）
流動パラフィン（＊１９）                              ４６．０
イソノナン酸イソノニル（＊２０）                      ２０．０
トリオレイン酸ＰＯＥ（２０）ソルビタン（＊２１）        ５．０
デキストリンパルミテート                                ４．０
無水塩化マグネシウム                                  ２５．０      
合    計                                      １００．０（％）
＊19：ハイコールＫ−３５０（商品名）、カネダ（株）製
＊20：サラスコ９９（商品名）、日清製油（株）製
＊21：ＴＯ−３０Ｍ（商品名）、ＨＬＢ１１．０、日光ケミカルズ（株）製
【０１５９】
表１５に示す各成分を混合して親水性製剤を調製した。親水性製剤の粘度の測定を行なった。結果を表１５に示す。
【０１６０】
図５に示すエアゾール容器を用いて、内袋の下収納部に発熱製剤５０ｇを、上収納部に親水性製剤５０ｇを充填した。バルブを載置したのち、容器本体と内袋とのあいだの空間に窒素ガスを充填して吐出製品を製造した。
【０１６１】
＜発熱試験＞
２０℃に調整した吐出製品から発熱製剤および親水性製剤各２ｇを同時に吐出し、温度上昇を経過時間ごとにデジタル温度計（カスタム社製）で測定した。結果を表１６に示す。
【０１６２】
【表１５】
2004250440.tif 000017
【０１６３】
【表１６】
2004250440.tif 000018
【０１６４】
表１６に示した発熱試験結果を図７のグラフを用いて説明する。図７の縦軸は温度（℃）、横軸は吐出後の経過時間（秒）を示している。図７中のＤは親水性製剤中に精製水が含まれていない場合の発熱試験結果、Ｅは親水性製剤中に精製水が１０重量％含まれている場合の発熱試験結果、Ｆは親水性製剤中に精製水が２０重量％含まれている場合の発熱試験結果、Ｇは親水性製剤中に精製水が５０重量％含まれている場合の発熱試験結果、Ｈは親水性製剤中に精製水が７５重量％含まれている場合の発熱試験結果、Ｉは親水性製剤が精製水１００重量％である場合の発熱試験結果を示す。
【０１６５】
実施例２２
下記に示す各成分を所定の配合比で混合し、発熱製剤を調製した。発熱製剤中の無水塩化マグネシウムの平均粒径は２０μｍ、発熱製剤の粘度は、４，６００ｃＰであった。
＜発熱製剤＞（オイルペースト処方）
流動パラフィン（＊１９）                              ５６．０
イソノナン酸イソノニル（＊２０）                      ２０．０
トリオレイン酸ＰＯＥ（２０）ソルビタン（＊２１）        ５．０
デキストリンパルミテート                                ４．０
無水塩化マグネシウム                                  １５．０      
合    計                                      １００．０（％）
【０１６６】
実施例２１と同様にして、表１５に示す各成分を混合して親水性製剤を調製した。
【０１６７】
図５に示すエアゾール容器を用いて、内袋の下収納部に発熱製剤５０ｇを、上収納部に親水性製剤５０ｇを充填した。バルブを載置したのち、容器本体と内袋とのあいだの空間に窒素ガスを充填して吐出製品を製造した。得られた吐出製品を用いて、実施例２１と同様にして、発熱試験を行なった。結果を表１７に示す。
【０１６８】
【表１７】
2004250440.tif 000019
【０１６９】
表１７に示した発熱試験結果を図８のグラフを用いて説明する。図８の縦軸は温度（℃）、横軸は吐出後の経過時間（秒）を示している。図８中のＤは親水性製剤中に精製水が含まれていない場合の発熱試験結果、Ｅは親水性製剤中に精製水が１０重量％含まれている場合の発熱試験結果、Ｆは親水性製剤中に精製水が２０重量％含まれている場合の発熱試験結果、Ｇは親水性製剤中に精製水が５０重量％含まれている場合の発熱試験結果、Ｈは親水性製剤中に精製水が７５重量％含まれている場合の発熱試験結果、Ｉは親水性製剤が精製水１００重量％である場合の発熱試験結果を示す。
【０１７０】
実施例２３
下記に示す各成分を所定の配合比で混合し、発熱製剤を調製した。発熱製剤中の無水塩化マグネシウムの平均粒径は２０μｍ、発熱製剤の粘度は、３，７００ｃＰであった。
＜発熱製剤＞（オイルペースト処方）
流動パラフィン（＊１９）                              ６１．０
イソノナン酸イソノニル（＊２０）                      ２０．０
トリオレイン酸ＰＯＥ（２０）ソルビタン（＊２１）        ５．０
デキストリンパルミテート                                ４．０
無水塩化マグネシウム                                  １０．０      
合    計                                      １００．０（％）
【０１７１】
実施例２１と同様にして、表１５に示す各成分を混合して親水性製剤を調製した。
【０１７２】
図５に示すエアゾール容器を用いて、内袋の下収納部に発熱製剤５０ｇを、上収納部に親水性製剤５０ｇを充填した。バルブを載置したのち、容器本体と内袋とのあいだの空間に窒素ガスを充填して吐出製品を製造した。得られた吐出製品を用いて、実施例２１と同様にして、発熱試験を行なった。結果を表１８に示す。
【０１７３】
【表１８】
2004250440.tif 000020
【０１７４】
表１８に示した発熱試験結果を図９のグラフを用いて説明する。図９の縦軸は温度（℃）、横軸は吐出後の経過時間（秒）を示している。図９中のＤは親水性製剤中に精製水が含まれていない場合の発熱試験結果、Ｅは親水性製剤中に精製水が１０重量％含まれている場合の発熱試験結果、Ｆは親水性製剤中に精製水が２０重量％含まれている場合の発熱試験結果、Ｇは親水性製剤中に精製水が５０重量％含まれている場合の発熱試験結果、Ｈは親水性製剤中に精製水が７５重量％含まれている場合の発熱試験結果、Ｉは親水性製剤が精製水１００重量％である場合の発熱試験結果を示す。
【０１７５】
図７〜９から、親水性製剤中の水の量が５０％を超えると温度上昇が速くなる傾向があり、親水性製剤中の水の量が２０％以下では温度上昇は緩やかになり、持続時間が長くなる傾向にあることがわかる。親水性製剤が水のみからなる場合よりも、多価アルコール（グリセリン）を添加して粘性を持たせたほうが、温度上昇が高く、持続時間が長い傾向がある。これは、親水性製剤の粘性により熱の拡散が少なくなって、温度低下が抑制されているためと考えられる。なお、実施例２１〜２３の吐出製品について、実施例１３と同様に温熱感、使用感を、また、実施例１と同様に安定性試験を行ない評価した結果、いずれも温熱感「◎」、使用感「○」、安定性「◎」であった。
【図面の簡単な説明】
【０１７６】
【図１】本発明の吐出製品に用いられるポンプ部の断面の一例である。
【図２】本発明の吐出製品に用いられるポンプ付き容器の断面の一例である。
【図３】本発明の吐出製品に用いられるエアゾール容器の断面の一例である。
【図４】本発明の吐出製品に用いられるエアゾール容器の断面の他の例である。
【図５】本発明の吐出製品に用いられるエアゾール容器の断面のさらに他の例である。
【図６】実施例１〜３の発熱試験結果を示すグラフである。
【図７】実施例２１の発熱試験結果を示すグラフである。
【図８】実施例２２の発熱試験結果を示すグラフである。
【図９】実施例２３の発熱試験結果を示すグラフである。
【符号の説明】
【０１７７】
１  吐出製品
２  容器本体
３  加圧剤充填部
４  発熱製剤
５  吐出孔
６  バルブ
７  吐出部材
８  可動底部
９  シリンダー
１０  底部材
１１  爪
１２  バネ
１３  第１筒部
１４  第２筒部
１５  横穴
１６  リング状パッキン
１７  逆止弁
１８  スパウト
１９  第２スプリング
２０  第１スプリング
２１  内袋
２２  マウンティングカップ
２３  ハウジング
２４  ステム
２５  ステム孔
２６  ステムラバー
２７  スプリング
２８  通路
２９  親水性製剤
３０  指押し部
３１  ノズル
３２  連結部材
３３  カバー部材
３４  中栓
３５  チューブ
３６  係合突起
Ａ  実施例１の発熱試験結果
Ｂ  実施例２の発熱試験結果
Ｃ  実施例３の発熱試験結果
Ｄ  親水性製剤中に精製水が含まれていない場合の発熱試験結果
Ｅ  親水性製剤中に精製水が１０重量％含まれている場合の発熱試験結果
Ｆ  親水性製剤中に精製水が２０重量％含まれている場合の発熱試験結果
Ｇ  親水性製剤中に精製水が５０重量％含まれている場合の発熱試験結果
Ｈ  親水性製剤中に精製水が７５重量％含まれている場合の発熱試験結果
Ｉ  親水性製剤が精製水のみからなる場合の発熱試験結果
【図１】
2004250440.tif 000021
【図２】
2004250440.tif 000022
【図３】
2004250440.tif 000023
【図４】
2004250440.tif 000024
【図５】
2004250440.tif 000025
【図６】
2004250440.tif 000026
【図７】
2004250440.tif 000027
【図８】
2004250440.tif 000028
【図９】
2004250440.tif 000029